(57)【要約】【課題】情報の内容によって、表示情報の表示装置への伝達を選択することにより、会議参加者に対して必要な情報は緊急かつ十分に伝え、不要な情報は最小限に抑える。【解決手段】液晶プロジェクタ等の高精細投影装置にパソコンをつなぎ、パソコンからの情報を選択、優先順位、割り込み等の表示選択手段を有する。【選択図】図１
2004012695.tif 000002
【特許請求の範囲】
【請求項１】
複数の表示情報が入力される表示情報入力手段と、
前記複数の表示情報に表示優先順位を与える優先順位手段と、
前記表示情報入力手段に与えられる複数の表示情報を前記優先順位手段からの情報に基づき選択し投影表示させる表示手段とを備えることを特徴とするプロジェクタ装置。
【請求項２】
前記複数の表示情報のうち少なくとも１つが、災害を報知すると共に退避を促す緊急情報であり、前記優先順位手段が前記緊急情報に上位の優先順位を付与することを特徴とする請求項１に記載のプロジェクタ装置。
【請求項３】
前記退避を促す情報が、退避経路を示す地図を含むことを特徴とする請求項２に記載のプロジェクタ装置。
【請求項４】
前記複数の表示情報のうち少なくとも１つが、特定の個人またはグループを対象とした割り込み情報であり、前記優先順位手段が前記割り込み情報に上位の優先順位を付与することを特徴とする請求項１に記載のプロジェクタ装置。
【請求項５】
前記割り込み情報の表示が他の情報に比較して、色合い、大きさ、および表示動作のうち少なくとも１つが異なることを特徴とする請求項４に記載のプロジェクタ装置。
【請求項６】
複数の表示情報が入力される表示情報入力手段と、前記複数の表示情報に表示優先順位を与える優先順位手段と、表示優先度に応じた複数の表示領域を形成する表示制御手段と、前記表示情報入力手段に与えられる複数の表示情報に、前記優先順位手段からの優先順位情報に対応して、前記複数の表示領域に割り振り、最終表示情報を形成する表示制御手段と、前記表示制御手段からの最終表示情報を、投影表示させる表示手段とを備えることを特徴とするプロジェクタ装置。
【請求項７】
前記複数の表示情報のうち少なくとも１つが、災害を報知すると共に退避を促す緊急情報であり、前記優先順位手段が前記緊急情報に上位の優先順位を付与することを特徴とする請求項６に記載のプロジェクタ装置。
【請求項８】
前記退避を促す情報が、退避経路を示す地図を伴うことを特徴とする請求項７に記載のプロジェクタ装置。
【請求項９】
前記複数の表示情報のうち少なくとも１つが、特定の個人またはグループを対象とした割り込み情報であり、前記優先順位手段が前記割り込み情報に上位の優先順位を付与することを特徴とする請求項６に記載のプロジェクタ装置。
【請求項１０】
前記割り込み情報の表示が、他の情報に比較して、色合い、大きさ、表示動作のうち少なくとも１つが異なることを特徴とする請求項９に記載のプロジェクタ装置。
【発明の詳細な説明】
【０００１】
【発明の属する技術分野】
本発明はプロジェクタ装置に関し、特に、プレゼンテーションに用いられる液晶プロジェクタ等における表示画像の制御アルゴリズムに関するものである。
【０００２】
【従来の技術】
近年、パーソナルコンピュータ（以後単にＰＣと呼ぶ）の上で動くアプリケーションソフトとしてプレゼンテーションソフトウェアが急速に普及しつつある。このようなアプリケーションにより、誰にでもプロフェッショナルライクで高度なプレゼンテーション資料を作成できるようになってきている。また、このようなアプリケーションによりサポートされるスライドショー機能は、液晶プロジェクタ等による高度なプレゼンテーションを可能にしている。
【０００３】
一方、このような形式のプレゼンテーション文化の普及に伴い、液晶プロジェクタ等の高画質投影装置の普及も著しい。
【０００４】
以上のようなＰＣとプロジェクタ装置の組み合わせは、ＯＨＰやスライドに頼ってきた従来のプレゼンテーションの現場と全く異なり、新しい概念のプレゼンテーションも可能にしてきている。
【０００５】
ＰＣをネットワークに接続することにより、ネットワークを経由してのプレゼンテーション資料の検索や取り込みは、資料の取り扱いに関する手数を大幅に低減することを可能にしている。一方、プレゼンテーションの現場にインターネット情報やイントラネット情報など、内外の情報を取り込むことも可能になっている。
【０００６】
また、ＰＣのマルチタスク機能を使うことにより、複数のファイルやアプリケーションを同時に立ち上げて、これらを選択的にあるいは同時に表示することもできるため、円滑でスピーディーなプレゼンテーションも可能である。
【０００７】
【発明が解決しようとする課題】
しかしながら、多くの情報を得ることあるいは表示することが可能になった反面、必要でない情報も簡単に見ることができるために多くの不具合を生ずる結果となっている。
【０００８】
たとえば、インターネットと繋がったＰＣでプレゼンテーションソフトウェアを使って作ったプレゼンテーション資料を液晶プロジェクタ等の高画質投影装置でスクリーンに表示し、プレゼンテーションを行っているときに、誤ってインターネットのアプリケーションソフトウェアをクリック（選択）し、プレゼンテーション資料とはまったく違った表示をすることにより緊張したプレゼンテーションを台無しにすることがある。映像の内容によっては機密情報や不都合な情報を表示してしまう場合すらある。
【０００９】
また、会議中にＰＣで多くのアプリケーションを立ち上げ、いろいろな情報をＰＣ画面に表示し、その情報をそのまま液晶プロジェクタ等の高画質投影装置でスクリーンに表示した場合、会議の一部の参加者にとって、まったく必要でない情報が表示されていたり、緊急情報であるのに大きくあるいはすぐに表示されていなかったり、表示された情報が参加者にとって十分配慮されていないことがある。
【００１０】
本発明はこのような問題点に鑑みなされたもので、会議の参加者に対して必要な情報は緊急かつ十分に伝え、不要な情報は最小限に抑え、会議の参加者が不満をもつこと無く、会議を進められるようにしたプロジェクタ装置を提供することを目的とするものである。
【００１１】
【課題を解決するための手段】
上記の目的を達成するために、複数の表示情報が入力される表示情報入力手段と、前記複数の表示情報に表示優先順位を与える優先順位手段と、前記表示情報入力手段に与えられる複数の表示情報を前記優先順位手段からの情報に基づき選択し投影表示させる表示手段とを備える構成としている。
【００１２】
なお、前記複数の表示情報のうち少なくとも１つが、災害を報知すると共に退避を促す緊急情報であり、前記優先順位手段が前記緊急情報に上位の優先順位を付与することが好ましい。
【００１３】
また、前記退避を促す情報が、退避経路を示す地図を含むようにしてもよい。
【００１４】
ここで、前記複数の表示情報のうち少なくとも１つが、特定の個人またはグループを対象とした割り込み情報であり、前記優先順位手段が前記割り込み情報に上位の優先順位を付与する構成であることが望ましい。
【００１５】
さらに、前記割り込み情報の表示が他の情報に比較して、色合い、大きさ、および表示動作のうち少なくとも１つが異なるようにしてもよい。
【００１６】
この他、複数の表示情報が入力される表示情報入力手段と、前記複数の表示情報に表示優先順位を与える優先順位手段と、表示優先度に応じた複数の表示領域を形成する表示制御手段と、前記表示情報入力手段に与えられる複数の表示情報に、前記優先順位手段からの優先順位情報に対応して、前記複数の表示領域に割り振り、最終表示情報を形成する表示制御手段と、前記表示制御手段からの最終表示情報を、投影表示させる表示手段とを備えた構成としてもよい。
【００１７】
なお、前記複数の表示情報のうち少なくとも１つが、災害を報知すると共に退避を促す緊急情報であり、前記優先順位手段が前記緊急情報に上位の優先順位を付与することが好ましい。
【００１８】
また、前記退避を促す情報が、退避経路を示す地図を伴うようにしてもよい。
【００１９】
ここで、前記複数の表示情報のうち少なくとも１つが、特定の個人またはグループを対象とした割り込み情報であり、前記優先順位手段が前記割り込み情報に上位の優先順位を付与することが望ましい。
【００２０】
なお、前記割り込み情報の表示が、他の情報に比較して、色合い、大きさ、表示動作のうち少なくとも１つが異なるようにしてもよい。
【００２１】
【発明の実施の形態】
以下、本発明の実施例を図に基づいて詳細に説明する。
【００２２】
図２は本発明の一実施例のシステム構成図を示しており、図１はこの発明の一実施例のハードウェア構成図を示している。図３は本発明の一実施例のフローチャートである。図４〜図７は本発明の一実施例であるプロジェクタあるいはＰＣモニタの表示内容を示している。
【００２３】
まず、図２に示すように業界で標準的に採用されているネットワーク１にＰＣサーバであるＰＣサーバ２Ｂ、ＰＣサーバ２Ｃが接続され、またこの発明の一実施例にかかるプロジェクタ装置３が接続されている。プロジェクタ装置３はＰＣであるＰＣ２Ａと液晶プロジェクタ等の高画質投影装置であるプロジェクタ表示装置４２で構成されている。ＰＣ２Ａはサーバとしての機能も持っている。ＰＣ２Ａとプロジェクタ表示装置４２を一体にし、全ての機能を一つの装置に持たせることは可能であり、ＰＣ２Ａの本発明に関する機能のみをプロジェクタ装置４２に一体的に設けることも可能である。５は投影スクリーンである。
【００２４】
図１は、本発明のプロジェクタの一実施例を示すハードウェアの構成図である。図１において、このプロジェクタ装置３は、装置全体を制御するＣＰＵ３１と、装置の起動時に使用されるＩＰＬ（Ｉｎｉｔｉａｌ　Ｐｒｏｇｒａｍ　Ｌｏａｄｅｒ）などの初期プログラムを記憶するＲＯＭ（Ｒｅａｄ　Ｏｎｌｙ　Ｍｅｍｏｒｙ）３２と、画像データやプレゼンテーションファイル等の表示情報を蓄積するサーバ（図示せず）に接続するためのネットワークインターフェース４４と、サーバ（図示せず）からネットワークインターフェース４４を介してダウンロードした画像データやプレゼンテーションファイル等の表示情報を記憶するＲＡＭ（Ｒａｎｄｏｍ　Ａｃｃｅｓｓ　Ｍｅｍｏｒｙ）３３と、処理された上記表示情報を一時的に蓄えるＶＲＡＭ３４（Ｖｉｄｅｏ　ＲＡＭ）およびＶＲＡＭ３５（Ｖｉｄｅｏ　ＲＡＭ）と、キー入力装置３６からの信号を受取るＩ／Ｏポート３７と、キー入力装置３６から入力された文字や記号等およびＲＡＭ３３の画像データ等の表示情報を全て表示するＰＣ２Ａの表示部であるＣＲＴやＬＣＤ等からなるＰＣモニタ４１と、選択かつ処理された表示情報を表示するプロジェクタ表示装置４２と、ＶＲＡＭ３４からの表示情報をプロジェクタ表示装置４２に転送するプロジェクタインターフェース４３と、ＲＡＭ３３から選択された表示情報を処理し、ＶＲＡＭ３４およびプロジェクタインターフェース４３を介してプロジェクタ表示装置４２をコントロールするグラフィックコントローラ３８と、ＲＡＭ３３からの表示情報を処理し、ＶＲＡＭ３５およびＰＣモニタ４１を制御するグラフィックコントローラ３９と、グラフィックコントローラ３８およびグラフィックコントローラ３９を制御するための制御プログラムや制御データを有するＥＥＰＲＯＭ（Ｅｌｅｃｔｒｉｃａｌｌｙ　Ｅｒａｓａｂｌｅ　Ｐｒｏｇｒａｍｍａｂｌｅ　ＲＯＭ）４０と、ＣＰＵ３１、ＲＯＭ３２、ＲＡＭ３３、グラフィックコントローラ３８、グラフィックコントローラ３９、Ｉ／Ｏポート３７、ＥＥＰＲＯＭ４０、ＶＲＡＭ３４、ＶＲＡＭ３５およびネットワークインターフェース４４に接続され、表示情報や制御信号を転送するＢＵＳ４５とを備えている。
【００２５】
ＣＰＵ３１はＲＡＭ３３に蓄えられた表示情報に表示優先順位を与える優先順位手段と優先順位手段からの情報に基づき選択制御する機能を持っている。また、ＣＰＵ３１はプロジェクタインターフェース４３を介して、表示優先度に応じた複数の表示領域を形成する表示制御手段を持ち、複数の表示情報を優先順位手段からの優先順位情報に対応して複数の表示領域に割り振り、最終表示情報を形成する表示制御手段をあわせ持っている。本実施例では２つの表示領域（第１の表示領域と第２の表示領域）で説明する。第１の領域は第２の領域に比べ、表示領域が大きくなっている。第１の表示領域と第２の表示領域の差について、領域の大きさの違いだけではなく、モノクロとカラーあるいは点滅変化する／しない等の差別化をすることも可能である。特に表示領域の数、大きさ、表示内容および位置は本実施例に限定される物ではなく、会議の内容、参加者等に応じて最適なものを選ぶことができる。
【００２６】
図２は、プロジェクタ装置３とサーバを接続した本発明のネットワーク・プロジェクタ・システムの一実施例を示す。図２に示したネットワーク１は、通信回線によって構成されている。また、ネットワーク１にはプロジェクタ装置３およびＰＣサーバ２Ｂ、ＰＣサーバ２Ｃが接続されている。
【００２７】
図２に示したネットワーク１の方式としては、所定の通信プロトコルなどに準拠すれば、原則として自由にコンピュータの接続ができるオープン型ネットワーク方式と、ネットワークをホスト・コンピュータなどで管理し、接続されるコンピュータなどの端末装置に一定のセキュリティなどの制限を設けて、管理外のコンピュータ・ノードをネットワークに接続させないようにするクローズ型ネットワーク方式がある。
【００２８】
上述のオープン型ネットワーク方式の代表的なものとして、インターネットがある。このインターネットにおいては、通信プロトコルにＴＣＰ（Ｔｒａｎｓｆｅｒ　Ｃｏｎｔｒｏｌ　Ｐｒｏｔｏｃｏｌ）／ＩＰ（Ｉｎｔｅｒｎｅｔ　Ｐｒｏｔｏｃｏｌ）が採用されており、原則としてこの通信プロトコルを遵守したコンピュータであればネットワークに接続することができる。特に、近年において、インターネットのような自由なネットワーク環境を背景に、ＷＷＷ（ＷｏｒｌｄＷｉｄｅ　Ｗｅｂ）などのマルチメディア環境が整備されている。このＷｅｂ上においては、静止画（テキストやビットマップ・イメージ等）はＷｅｂページ上に一体となって盛り込むことができる。また、アプリケーションによって、静止画と同様に、サウンドや動画を同一のＷｅｂページ上で同期させて機能させることができる。
【００２９】
したがって、ネットワーク１がインターネットの場合には、プロジェクタ装置３の通信用アプリケーション（図示せず）をＴＣＰ／ＩＰに適合させ、また、ブラウザ（図示せず）にＷＷＷの機能を持たせることによって、プロジェクタ装置３をネットワーク１（インターネット）に接続して、データの送受信をすることができる。
【００３０】
また、ネットワーク１を特定の企業や団体などでのみ使用することを目的としたクローズ型ネットワークにすることもできる。このクローズ型ネットワークとしては、ネットワーク上で使用する通信プロトコルおよびアプリケーションの開発やメンテナンスなどのコスト面から、インターネットで活用されている通信プロトコル（ＴＣＰ／ＩＰ）やマルチメディア関連のアプリケーションをそのまま利用して構築するイントラネットとすることもできる。
【００３１】
このようにネットワーク１をイントラネットにした場合、プロジェクタ装置３を上述のインターネットと同様に構成すればよい。また、データの管理は、ネットワーク１上で通信される情報（データ）の種類に応じて、１つのサーバで管理する一元管理方式にしたり、複数のサーバで管理する分散方式にしたりすることができ、さらに、１つのネットワーク１上に両方の方式を採用することもできる。
【００３２】
次に、図１および図２に示したプロジェクタで画像を表示する方法を具体的に示す。図３は、図１および図２で示したプロジェクタとソフトウェアによる処理を示すフローチャートである。図３において、まず、プロジェクタ装置３（ＰＣ２Ａおよびプロジェクタ表示装置４２）に電源が投入されると、ＲＯＭ３２からイニシャル・プログラムが呼び出され、ＣＰＵ３１によって、ＩＰＬ（Ｉｎｉｔｉａｌ　Ｐｒｏｇｒａｍ　Ｌｏａｄｅｒ）が実行される。このＩＰＬによって、通信用アプリケーション（図示せず）が機能し、ＰＣ２Ａ、ＰＣサーバ２Ｂ、ＰＣサーバ２Ｃのうち所定のサーバからＯＳ（図示せず）、ブラウザ（図示せず）などの実行モジュールがネットワークインターフェース４４を介してダウンロードされ、ＲＡＭ３３に記憶される。実行モジュールのダウンロード後、ＯＳが起動し、ＯＳによってブラウザが起動される。
【００３３】
ブラウザは、グラフィックコントローラ３９の制御の下、ＥＥＰＲＯＭ４０からＩＰ（Ｉｎｔｅｒｎｅｔ　Ｐｒｏｔｏｃｏｌ）アドレスを読み出し、そのＩＰアドレスでサーバから画像データやプレゼンテーションファイル等の表示情報をＲＡＭ３３に読み込む。ＲＡＭ３３に読み込まれた全ての表示情報はグラフィックコントローラ３９により処理され、ＶＲＡＭ３５に一時的に蓄積され、ＰＣモニタ４１に表示される。また、ＲＡＭ３３に記憶された表示情報はＣＰＵ３１の表示優先順位手段により優先順位が与えられ、この情報に基づいて選択され、優先順位順にグラフィックコントローラ３８で処理される。次に表示情報はＣＰＵ３１の表示優先度に応じた複数の表示領域を形成する表示制御手段と複数の表示情報を優先順位手段からの優先順位情報に対応して複数の表示領域に割り振り、最終表示情報を形成する表示制御手段により、第１の表示領域あるいは第２の表示領域に割り振られ、ＶＲＡＭ３４およびプロジェクタインターフェース４３を介して、プロジェクタ表示装置４２で表示される。
【００３４】
ここで、プロジェクタ装置３にＥＥＰＲＯＭ４０を備えずに、ＩＰアドレスをキー入力装置３６から入力することもできる。入力されたＩＰアドレスによって、複数のＰＣ２Ａ、ＰＣサーバ２Ｂ、ＰＣサーバ２Ｃから所定のサーバを選択することができる。また、ＥＥＰＲＯＭ４０に複数のＩＰアドレスを記憶しておき、キー入力装置３６（例えば、ファンクションキー）から入力された入力信号に応じて、ＩＰアドレスをＥＥＰＲＯＭ４０から読み出すようにすることもできる。入力等によって指定したＩＰアドレスは、ＰＣモニタ４１に表示して確認することができ、ＩＰアドレスの入力ミスを防ぐことができる。
【００３５】
ＣＰＵ３１の判断処理について述べる前に以下のような様々なケースを考えてみる。
【００３６】
例えば、プレゼンテーション中に、プレゼンテーションとは直接関係のない情報を表示したいケースがある。例えば、災害情報や退避情報などは、プレゼンテーション以上に表示緊急度の高いものである。
【００３７】
会議中に、プレゼンテーション画面以外に、天気予報、時刻などが表示されれば会議参加者にとっては、非常に有用である。また、ある言語でプレゼンテーションをやっているときの通訳表示も便利である。このような場合、時刻や天気予報や通訳などの表示は表示領域の片隅に表示することにより、不必要な人に対してはあまり注意を引くこと無く、必要な人は十分に活用することができる。
【００３８】
また、プレゼンテーション画面に、会議参加者に対する緊急呼び出しや緊急連絡が表示されれば非常に有効である。たとえば、Ｍ社のＮさんがＰ社の会議に参加している。Ｍ社で緊急事態が発生し、至急Ｎさんに連絡を取らねばならない事態になった。このような場合Ｐ社に電話し、会議の担当者に連絡し、会議の担当者は１度会議を中断し、Ｎさんを呼び出し、ＮさんにＭ社に電話するように連絡せねばならない。この場合はＮさんだけなので部分的に表示することが望まれる。
広告の表示も、場合によっては、考えられる。例えば、大きな会議場には緞帳等の幕があり、これにはメーカー等の寄贈が記されていることが少なくない。このことはメーカーとしての広告活動であり、会議場としても会議場を安く施工できる効果がある。これと同様に、プレゼンテーション表示画面上に広告を出すスペースを設けることにより、同様の効果を得ることができるだけでなく、より柔軟なスポンサー対策が可能である。この場合は部分的あるいはプレゼンテーションが終わった後に表示することがより良い。
【００３９】
以上のように、プレゼンテーションと直接関係の無い情報の場合、参加者全員に見せる情報、参加者全員には見せない方が良い情報、あるいは見せるべきでない情報、参加者全員の注意を緊急的に引く情報、参加者のある特定者の注意を緊急的に引く情報、参加者全員の注意を時々引く情報、特定の参加者の注意を時々引く情報等、そしてそれらは時々、他に迷惑かけること無く注意を引かねばならない情報がある。
【００４０】
また、情報が同時にいくつかある場合には優先順位が必要となるものがある。たとえば、火事等の災害の発生を知らせる場合は全てに関係なく最優先である。緊急の連絡は受けたときであり、時刻表示や広告は常時出しても良いし、プレゼンテーションの切れ目ということも可能である。
【００４１】
次に本発明の一実施例をあげて、ＣＰＵ３１の判断処理について述べる。
【００４２】
ここでは下記の５つの入力された情報があり、Ｄの情報以外の４つの情報は同時に入力され、Ｄの情報は４つの情報が入力されてから１時間たった後に入力されたものとする。また、誰に情報を表示するのか？優先順位はどれか？についてはケースバイケースで事前にフォーマットを決めておくものとする。ここでは下記のように決めている。
〔誰に〕
１．　参加者全員：第１の表示領域
２．　特定者：第２の表示領域
３．　必要な人：第２の表示領域
〔優先順位〕
１．　緊急：普通に対して１０分間優先される。
２．　普通：緊急が無ければ表示される。
新しい表示情報が入力されると古い情報を削除し、新しい情報に置き換えるものとする。
〔入力された情報〕
Ａ．プレゼンテーション（誰に：参加者全員、優先順位：普通）
Ｂ．　　Ｍ社のＡさんへの連絡（誰に：特定者、優先度：緊急）
Ｃ．　　天気予報（誰に：必要な人、優先度：普通）
Ｄ．　　火事の連絡（誰に：参加者全員、優先度：緊急）
Ｅ．　　上記フォーマットを持っていない情報
上記一実施例において、図３のフローチャートに沿って説明する。まず、ＲＡＭ３３にＤの情報以外の４種の情報が同時に入力された状態から説明する。この状態を図４にＰＣモニタ表示として示す。
【００４３】
４種のうち、Ａの情報は参加者全員なので「第２の表示領域に表示しない」はＹＥＳで次の判断手段へ、ＢＣＥの情報は特定者あるいは必要者なので「第２の表示領域に表示しない」はＮＯで次の判断手段へ進む。Ａの情報は普通であるが他に緊急が無いために「すぐ表示する」はＹＥＳとなり、第１の表示領域に表示される。ＢＣＥについて、Ｅの情報はフォーマットがついてないので「表示する」はＮＯと判断され、選択されない（表示されない）。ＢＣのうちＢは緊急となっているので「すぐに表示しない」はＮＯとなり、第２の表示領域に表示される。Ｃは普通なので「すぐ表示しない」はＹＥＳとなり、「表示する」へ戻る。この状態の表示を図５に示す。
【００４４】
１０分間の後、緊急の優先順位が切れるので、Ｃの情報は「表示しない」がＮＯとなり、第２の表示領域に表示される。このときＢの情報は削除される。そして、次の新しい情報がくるまでこの表示は維持される。この状態を図６に示す。次に１時間後にＤの情報が入力されるとＤの情報は参加者全員なので「第２の表示領域に表示しない」はＹＥＳで次の判断手段へ進む。優先順位は緊急なので「すぐ表示しない」はＹＥＳとなり、Ａの情報が表示されているが、Ａの情報が削除され、この表示に優先してすぐ表示される。この状態の表示内容を図７に示す。火事の連絡と退避経路の指示が表示されている。
【００４５】
以上のような構成により、様々な情報を、情報の緊急度、要求する人に応じて、適切に表示画面に反映させることが可能となり、不用意な情報の表示を回避するとともに情報の内容によって表示する形態あるいは領域を変えることにより、プレゼンテーションの表示画面を有効に活用することを可能にしている。
【００４６】
【発明の効果】
以上説明したように、本願各発明によれば、本発明のプロジェクタ装置は、少なくとも２つ以上の表示領域を設け、選択手段および禁止手段を設けることにより、会議の参加者に対して必要な情報は緊急かつ十分に伝え、不要な情報は最小限に抑え、会議の参加者が不満をもつこと無く、会議を進められるようになるという効果がある。
【図面の簡単な説明】
【図１】図１は本発明の一実施例のハードウェア構成図を示している。
【図２】図２は本発明の一実施例のシステム構成図を示している。
【図３】図３は本発明の一実施例のフローチャート図を示している。
【図４】図４は本発明の一実施例のＰＣモニタ４２の表示内容を示している。
【図５】図５は本発明の一実施例のプロジェクタ表示装置４２の表示（表示情報が入力された直後）
【図６】図６は本発明の一実施例のプロジェクタ表示装置４２の表示（表示情報が入力されて１０分以上経過した時点）
【図７】図７は本発明の災害等の緊急避難を示す実施例を示している。
【符号の説明】
１　ネットワーク
２Ａ、２Ｂ、２Ｃ　ＰＣサーバ
３　プロジェクタ装置
３１　ＣＰＵ
３２　ＲＯＭ
３３　ＲＡＭ
３４、３５　ＶＲＡＭ
３６　キー入力装置
３７　Ｉ／Ｏポート
３８、３９　グラフィックコントロール
４０　ＥＥＰＲＯＭ
４１　ＰＣモニタ
４２　プロジェクタ表示装置
４３　プロジェクタインターフェース
４４　ネットワークインターフェース
４５　ＢＵＳ
５　投影スクリーン
【図１】
2004012695.tif 000003
【図２】
2004012695.tif 000004
【図３】
2004012695.tif 000005
【図４】
2004012695.tif 000006
【図５】
2004012695.tif 000007
【図６】
2004012695.tif 000008
【図７】
2004012695.tif 000009